(57)【要約】  無線ローカルエリアネットワークのサービスに優先順位を付ける無線通信装置及び方法が提供される。本方法は、無線ローカルエリアネットワークの第1ベーシックサービスセットの第1サービスに対する第1優先度を決定するステップと、無線ローカルエリアネットワークの第2ベーシックサービスセットの第2サービスに対する第2優先度を決定するステップとを有する方法であり、第1優先度は第2優先度と異なる。
2010512716.tif 000002
【特許請求の範囲】
【請求項１】
無線ローカルエリアネットワークのサービスを優先制御する方法であって、
1つのアクセスポイントにより、第1及び第2サービスを提供するステップと、
前記無線ローカルエリアネットワークの第1ベーシックサービスセットの第1サービスに対する第1優先度を決定するステップと、
前記無線ローカルエリアネットワークの第2ベーシックサービスセットの第2サービスに対する第2優先度を決定するステップと
を有し、前記第1優先度は前記第2優先度と異なる、方法。
【請求項２】
前記第1サービスの前記第1優先度に基づいて第1コンテンションウインドウ値を設定するステップと、
前記第2サービスの前記第2優先度に基づいて第2コンテンションウインドウ値を設定するステップと
を有する請求項1記載の方法。
【請求項３】
前記第1サービスの優先度に基づいて第1の送信機会値を設定するステップと、
前記第2サービスの優先度に基づいて第2の送信機会値を設定するステップと
を有する請求項1記載の方法。
【請求項４】
前記第1コンテンションウインドウ値を、前記第1ベーシックサービスセットの1つ以上のステーションに設定するステップと、
前記第2コンテンションウインドウ値を、前記第2ベーシックサービスセットの1つ以上のステーションに設定するステップと
を有する請求項2記載の方法。
【請求項５】
前記第1の送信機会値を、前記第1ベーシックサービスセットの1つ以上のステーションに設定するステップと、
前記第2の送信機会値を、前記第2ベーシックサービスセットの1つ以上のステーションに設定するステップと
を有する請求項3記載の方法。
【請求項６】
媒体アクセスコントローラを有する無線通信装置であって、
前記媒体アクセスコントローラは、無線ローカルエリアネットワークの第1ベーシックサービスセットの第1サービスに対する第1優先度を決定し、前記無線ローカルエリアネットワークの第2ベーシックサービスセットの第2サービスに対する第2優先度を決定し、前記第1優先度は前記第2優先度と異なる、無線通信装置。
【請求項７】
前記媒体アクセスコントローラは、前記第1サービスの前記第1優先度に基づいて第1コンテンションウインドウ値を設定し、前記第2サービスの前記第2優先度に基づいて第2コンテンションウインドウ値を設定する、請求項6記載の無線通信装置。
【請求項８】
前記媒体アクセスコントローラは、前記第1サービスの優先度に基づいて第1の送信機会値を設定し、前記第2サービスの優先度に基づいて第2の送信機会値を設定する、請求項6記載の無線通信装置。
【請求項９】
前記媒体アクセスコントローラは、前記第1コンテンションウインドウ値を、前記第1ベーシックサービスセットの1つ以上のステーションに、及び前記第2コンテンションウインドウ値を、前記第2ベーシックサービスセットの1つ以上のステーションに設定する、請求項7記載の無線通信装置。
【請求項１０】
前記媒体アクセスコントローラは、前記第1の送信機会値を、前記第1ベーシックサービスセットの1つ以上のステーションに設定し、前記第2の送信機会値を、前記第2ベーシックサービスセットの1つ以上のステーションに設定する、請求項8記載の無線通信装置。
【請求項１１】
無線ローカルエリアネットワークの第1ベーシックサービスセットの第1サービスに対する第1優先度を決定し、前記無線ローカルエリアネットワークの第2ベーシックサービスセットの第2サービスに対する第2優先度を決定する媒体アクセスコントローラと、
前記第1及び第2優先度に基づいて、前記第1及び第2サービスにより提供される信号を送信するダイポールアンテナと
を有し、前記第1優先度は前記第2優先度と異なる、無線通信装置。
【請求項１２】
前記媒体アクセスコントローラは、前記第1サービスの前記第1優先度に基づいて第1コンテンションウインドウ値を設定し、前記第2サービスの前記第2優先度に基づいて第2コンテンションウインドウ値を設定する、請求項11記載の無線通信装置。
【請求項１３】
前記媒体アクセスコントローラは、前記第1サービスの優先度に基づいて第1の送信機会値を設定し、前記第2サービスの優先度に基づいて第2の送信機会値を設定する、請求項11記載の無線通信装置。
【請求項１４】
前記媒体アクセスコントローラは、前記第1コンテンションウインドウ値を、前記第1ベーシックサービスセットの1つ以上のステーションに、及び前記第2コンテンションウインドウ値を、前記第2ベーシックサービスセットの1つ以上のステーションに設定する、請求項12記載の無線通信装置。
【請求項１５】
前記媒体アクセスコントローラは、前記第1の送信機会値を、前記第1ベーシックサービスセットの1つ以上のステーションに設定し、前記第2の送信機会値を、前記第2ベーシックサービスセットの1つ以上のステーションに設定する、請求項13記載の無線通信装置。
【請求項１６】
1つ以上のステーションを含む第1ベーシックサービスセットと、
1つ以上のステーションを含む第2ベーシックサービスセットと、
第1及び第2サービスを、前記第1及び第2ベーシックサービスセットに提供するアクセスポイントと
を有する無線ローカルエリアネットワークであって、前記アクセスポイントは、
無線ローカルエリアネットワークの第1ベーシックサービスセットの第1サービスに対する第1優先度を決定し、前記無線ローカルエリアネットワークの第2ベーシックサービスセットの第2サービスに対する第2優先度を決定する媒体アクセスコントローラを有し、前記第1優先度は前記第2優先度と異なる、無線ローカルエリアネットワーク。
【請求項１７】
前記媒体アクセスコントローラは、前記第1サービスの前記第1優先度に基づいて第1コンテンションウインドウ値を設定し、前記第2サービスの前記第2優先度に基づいて第2コンテンションウインドウ値を設定する、請求項17記載の無線ローカルエリアネットワーク。
【請求項１８】
前記媒体アクセスコントローラは、前記第1サービスの優先度に基づいて第1の送信機会値を設定し、前記第2サービスの優先度に基づいて第2の送信機会値を設定する、請求項16記載の無線ローカルエリアネットワーク。
【請求項１９】
前記媒体アクセスコントローラは、前記第1コンテンションウインドウ値を、前記第1ベーシックサービスセットの1つ以上のステーションに、及び前記第2コンテンションウインドウ値を、前記第2ベーシックサービスセットの1つ以上のステーションに設定する、請求項17記載の無線ローカルエリアネットワーク。
【請求項２０】
前記媒体アクセスコントローラは、前記第1の送信機会値を、前記第1ベーシックサービスセットの1つ以上のステーションに設定し、前記第2の送信機会値を、前記第2ベーシックサービスセットの1つ以上のステーションに設定する、請求項18記載の無線ローカルエリアネットワーク。
【発明の詳細な説明】
【技術分野】
【０００１】
本発明は、サービスの優先制御を行う無線ローカルエリアネットワーク、無線通信装置及び方法に関連する。
【背景技術】
【０００２】
無線ローカルエリアネットワーク(WLAN)はベーシックサービスセット(BSS)を含む。BSSはアクセスポイント(AP)及び1つ以上のステーション(ST)を含む。BSSのステーションは、ノードと言及されてもよい。インフラストラクチャWLANは2つ以上のAPを含んでよい。2つ以上のAPの内のAPは、1つ以上のBSSを構築し、各BSSに同じ優先度でサービスを提供する。電気電子技術者協会(IEEE)により発行されている標準規格(例えば、IEEE802.11-REVma/D5.0)によれば、BSSは、サービスセット識別子(SSID)及びBSS識別子(BSSID)により特定される。例えば、APは2つのSSID(オフィスWLAN識別子及びゲストWLAN識別子)をビーコンで送信する。
【先行技術文献】
【非特許文献】
【０００３】
【非特許文献１】IEEE802.11-REVma/D5.0
【発明の概要】
【発明が解決しようとする課題】
【０００４】
インフラストラクチャWLANの2つ以上のBSSには、異なるサービスについて同じ優先度が与えられる。したがって、サービスは互いに干渉してしまうおそれがある。
【課題を解決するための手段】
【０００５】
発明と考えられるものは明細書に続く特許請求の範囲で明確に規定されている。しかしながら、本発明の目的、特徴及び利点と共に本発明の構成及び動作方法の双方は、添付図面と共に以下の詳細な説明を参照することで最良に理解される。
【図面の簡単な説明】
【０００６】
【図１】本発明の一実施例による無線通信システムの概略図。
【図２】本発明の一実施例によるアクセスポイント（ＡＰ）の概略ブロック図。
【図３】無線通信ネットワークのベーシックサービスセットに優先度を割り当てる本発明の一実施例による方法を示す概略フローチャート。
【発明を実施するための形態】
【０００７】
説明の簡明化を図るため、図示の要素は必ずしも寸法を描いているわけではないことに留意を要する。例えば、明確化を図るため、ある要素の寸法は他の要素に比べて誇張されているかもしれない。さらに、(該当する場合)対応する又は類似する要素を指すために、図中で参照番号が反復的に使用される。
【０００８】
以下の詳細な説明において、本発明の充分な理解を促すため、多くの具体的詳細が説明される。しかしながら、本発明はそのような具体的詳細によらず実施されてもよいことを当業者は理解するであろう。また、周知の方法、手順、要素及び回路等は、本発明を曖昧にしないように詳細には説明されていない。
【０００９】
以下の詳細な説明の内ある部分は、コンピュータメモリにおけるデータビット又は二進ディジタル信号に対する処理のアルゴリズム及び抽象的な表現の観点から説明される。これらのアルゴリズム的な説明や表現は、ディジタル処理の技術分野における当業者が業務内容を他の当業者に伝えるために当業者間で使用されている方法である。
【００１０】
具体的に言及しない限り、以下の説明から明らかなように、本明細書を通じて、ある用語(「処理」、「演算」、「計算」、「決定」等)を使用する説明は、コンピュータ等(コンピュータ、コンピュータシステム、同様な電子演算装置、又は送信装置等)の動作及び／又はプロセスに関連することが理解されるべきであり、そのコンピュータ等は、コンピュータシステムのレジスタ及び／又はメモリ内のデータ(電子のような物理的な量として表現されるデータ)を処理し、そのデータを、コンピュータシステムのメモリ、レジスタその他の情報ストレージ内の他の同様なデータ(物理的な量として表現されるデータ)に変換する。
【００１１】
本発明は様々なアプリケーションに適用されてよいことが理解されるべきである。本発明は実施例に限定されず、本願で開示される回路及び技術は、無線システムのステーションのような多くの装置に使用されてよい。本発明の範囲に含まれるように意図されるステーションは、無線ローカルエリアネットワーク(WLAN)のステーション、双方向無線局、ディジタルシステムステーション、セルラシステムステーション、セルラ無線電話ステーション等であるが、これらに限定されない。
【００１２】
本発明の範囲に含まれるように意図されるWLANステーションのタイプは、移動局、アクセスポイント、拡散スペクトル信号等を受信及び送信するステーション等であるが、これらに限定されない。拡散スペクトル信号等は、例えば、周波数ホッピング拡散スペクトル(FHSS)信号、直接シーケンス拡散スペクトル(DSSS)信号、コンプルメンタリコードキーイング(CCK)信号、直交周波数分割多重(OFDM)信号等である。
【実施例１】
【００１３】
図1を参照するに、無線通信システムの一例としてWLAN100が示されている。本発明の範囲は実施例に限定されないが、WLAN100は、IEEE802.11-1999の標準仕様により、拡張サービスセット(ESS)として規定されているものである。例えば、ESSは、BSS120、BSS140及びAP130を必要に応じて含んでよい。本発明の一実施例の場合、BSS120はステーション124,128を含み、BSS140はステーション142,144,146を含む。本発明の一実施例によれば、AP130は、BSS120及びBSS140に対して、異なる優先度のサービスを提供する。例えば、BSS120は低優先度のゲストBSSを含み、BSS140は高優先度のオフィスBSSを含む。
【００１４】
本発明の一実施例の場合、WLAN100の各BSSに異なる優先度を割り当てることは、IEEE802.11-REVma/D5.0の標準仕様に基づいて、BSS120及び140に異なるパラメータを割り当てることでなされてもよい。より具体的には、エンハンストディストリビュートチャネルアクセス(EDCA)パラメータが、必要に応じて、BSS120及び140に割り当てられてもよい。
【００１５】
IEEE802.11-REVma/D5.0の標準仕様の場合、EDCAパラメータは、エレメントID、レングス(Length)、サービス品質(QoS)情報、ベストエフォートのアクセスカテゴリ(AC)パラメータ(AC_BE)、バックグラウンド(AC_BK)、ビデオ(AC_VI)及びヴォイス(AC_VO)を含んでよい。ACパラメータは、コンテンションウインドウ(競合ウインドウ)の最小及び最大長さ(例えば、ECWmin及びECWmax)や、送信機会の制限(例えば、TXOPLimit)の情報を含む。BSS120及びBSS140のステーションは、コンテンションウインドウパラメータ及びTXOPパラメータに応じて、WLAN100に対するアクセス権を必要に応じて取得する。
【００１６】
本発明の一実施例では、BSS120及び／又はBSS140に異なる優先度を設定することは、BSS120及び／又はBSS140各々に、異なるEDCAパラメータ群を割り当てることで行われる。本発明の他の実施例では、BSS120及びBSS140に異なる優先度を割り当てることは、以下の表1に示されるように、BSS120,140に異なるECWmin及びTXOPLimitの値を割り当てることでなされる。
【００１７】
例えば、ECWminの値は、バックオフ期間が続くコンテンションウインドウの最小サイズを表す。値が小さければ小さいほど、優先度は高い。TXOPLimitは、媒体アクセスが許可された後使用される値であり、どの程度長くステーションが送信を継続してよいかを示す。TXOPLimitの値が長ければ長いほど、優先度は高い。表1の場合、(安全性の高い)セキュアなオフィスBSS(例えば、BSS120)に最高の優先度を設定するため、ECWminは小さな値に設定され、TXOPLimitは大きな値に設定される。非セキュアなゲストBSS(例えば、BSS140)の場合、ECWminは大きな値に設定され、TXOPLimitは小さな値に設定される。しかしながら本発明の範囲はこのような設定例に限定されない。
【００１８】
【表１】
2010512716.tif 000003
図2を参照するに、本発明の一実施例によるアクセスポイント(AP)200の概略ブロック図が示されている。本発明の範囲は本実施例に限定されないが、AP200は、媒体アクセスコントローラ210を含み、BSSステーションによる無線媒体へのアクセスを制御する。本発明の一実施例の場合、異なるEDCAパラメータを各BSS(例えば、BSS120及び／又はBSS140)に設定することで、MAC210は異なるBSSに優先度を設定してもよいし、或いは本発明の別の実施例の場合、異なるECWパラメータ230及び異なるTXOP240を各BSS(例えば、BSS120及び／又はBSS140) に設定することで、MAC210は異なるBSSに優先度を設定してもよい。
【００１９】
トランシーバ220は、アンテナ250を介して、パラメータ群をビーコンにより送信し、異なるBSSの様々なステーションに異なる優先度を設定する。アンテナ250は、ダイポールアンテナ、八木アンテナ、アンテナアレイ、2つ以上のアンテナ等でもよい。説明されているAP200のブロック及び要素は、ハードウエアにより、ソフトウエアにより、又はハードウエア及びソフトウエアの何らかの組み合わせにより実現されてもよいことが、理解されるべきである。
【００２０】
図3を参照するに、無線通信ネットワークのベーシックサービスセットに優先度を割り当てる本発明の一実施例による方法を示す概略フローチャートが示されている。この方法例の場合、無線ローカルエリアネットワークの第1ベーシックサービスセットの第1サービスの第1優先度を決定すること(ブロック300)、及び無線ローカルエリアネットワークの第2ベーシックサービスセットの第2サービスの第2優先度を決定すること(ブロック310)を、MAC210は実行できる。この場合において、第1優先度は第2優先度と異なる。
【００２１】
本発明の一実施例によれば、MAC210は、第1及び第2BSSにより提供される第1及び第2サービスにそれぞれ優先度を設定する。第1サービスの第1優先度に基づいて第1コンテンションウインドウ値を設定することで(ブロック320)、第2サービスの第2優先度に基づいて第2コンテンションウインドウ値を設定することで(ブロック330)、MAC210は優先度を設定する。さらに、第1サービスの優先度に基づいて第1送信機会値を設定することで(ブロック340)、第2サービスの優先度に基づいて第2送信機会値を設定することで(ブロック350)、MAC210は第1及び第2BSSに優先度を設定する。
【００２２】
以上、本発明のある特徴が図示及び説明されてきたが、修正例、代替例、変形例及び均等物は、当業者にとって明らかであろう。したがって、本発明の真の精神に沿うものとして、添付の特許請求の範囲は、そのような修正例や変形例等の総てを含むように意図されていることが、理解されるであろう。
【図１】
2010512716.tif 000004
【図２】
2010512716.tif 000005
【図３】
2010512716.tif 000006
【国際調査報告】
2010512716.tif 000007